(57)【要約】【課題】店頭などへの搬入が容易でしかも配列の乱れを起こし難い展示用具及びこれを用いる展示台を提供する。【解決手段】展示用具は、略三角柱形状の底付き容器と、前記底付き容器の対向する隅部にそれぞれ設けられた係止部とを有する。係止部は、雄型の鉤部と雌型の鉤部で構成されている。係止部は、マジックテープ（登録商標）、マグネット又は両面テープで構成されている。展示用具を複数有し、各展示用具は、それぞれの係止部を係合することによって連接されて一組の展示台を形成して成る。【選択図】    図１
2011183109.tif 000002
【特許請求の範囲】
【請求項１】
略三角柱形状の底付き容器と、前記底付き容器の対向する隅部にそれぞれ設けられた係止部とを有することを特徴とする展示用具。
【請求項２】
請求項１記載の展示用具において、
前記係止部は、雄型の鉤部と雌型の鉤部で構成されている
ことを特徴とする展示用具。
【請求項３】
請求項１記載の展示用具において、
前記係止部は、マジックテープ（登録商標）、マグネット又は両面テープで構成されている
ことを特徴とする展示用具。
【請求項４】
請求項１乃至請求項３の何れか記載の展示用具を複数有し、各前記展示用具は、それぞれの係止部を係合することによって連接されて一組の展示台を形成して成ることを特徴とする組立式展示台。
【発明の詳細な説明】
【技術分野】
【０００１】
本発明は、例えば、種々の商品を展示するための展示用具及びこの展示用具を組み立てて形成される展示台に関する。
【背景技術】
【０００２】
従来、例えば、文房具、化粧品、雑貨などのバラで展示できる商品は、種々の容器に入れて店頭で展示されている。
【０００３】
そして、購買意欲を高めるために種々の形状構造を有する容器が採用されている。
【０００４】
この際、容器をショーケースなどにすると、ショーケースは大型に成りやすく、設置場所が限られるなどの不具合がある。
【０００５】
そのため、商品展示用の容器を、取り扱いやすい紙や軽量材料で構成することが望まれている。そして、これらの容器は、殆どが単独で使用されている。
【先行技術文献】
【特許文献】
【０００６】
【特許文献１】特開平１０−３３８２２６号公報
【発明の概要】
【発明が解決しようとする課題】
【０００７】
しかし、従来の商品展示用の容器が単独で用いられる場合、顧客が商品を手にとって出し入れするので、折角店頭において見栄えの良い配列や機能的な配列などを考慮して設置されている容器の配列が乱れ、店員などがその都度元の位置に容器を戻す必要があった。
【０００８】
また、組み立てられて商品展示用の容器を店頭に搬入する際、型くずれを起こしやすいので、搬入時の作業が面倒であった。
【０００９】
本発明は斯かる従来の問題点を解決するために為されたもので、店頭などへの搬入が容易でしかも配列の乱れを起こし難い展示用具及びこれを用いる展示台を提供することにある。
【課題を解決するための手段】
【００１０】
請求項１に係る発明は、略三角柱形状の底付き容器と、前記底付き容器の対向する隅部にそれぞれ設けられた係止部とを有することを特徴とする。
【００１１】
請求項２に係る発明は、請求項１記載の展示用具において、前記係止部は、雄型の鉤部と雌型の鉤部で構成されていることを特徴とする。
【００１２】
請求項３に係る発明は、請求項１記載の展示用具において、前記係止部は、マジックテープ（登録商標）、マグネット又は両面テープで構成されていることを特徴とする。
【００１３】
請求項４に係る発明は、請求項１乃至請求項３の何れか記載の展示用具を複数有し、各前記展示用具は、それぞれの係止部を係合することによって連接されて一組の展示台を形成して成ることを特徴とする。
【発明の効果】
【００１４】
本発明によれば、店頭などへの搬入が容易でしかも配列の乱れを起こし難い展示用具及びこれを用いる展示台を提供することができる。
【図面の簡単な説明】
【００１５】
【図１】（ａ）本実施形態に係る展示用具の正面図、（ｂ）本実施形態に係る展示用具の背面図である。
【図２】本実施形態に係る展示用具の展開図である。
【図３】図２の板紙を折り畳む工程を示す平面図である。
【図４】図２の板紙を折り畳む工程における底板の形成を示す斜視図である。
【図５】図４の底板の完成した状態を示す斜視図である。
【図６】（ａ）２つの展示用具の組み付け前の状態を示す背面図、（ｂ）２つの展示用具の組み付け前の状態を示す正面図である。
【図７】（ａ）２つの展示用具を組み付けた状態を示す背面図、（ｂ）２つの展示用具の組み付けた状態を示す正面図である。
【図８】２つの展示用具を組み付けた状態を示す斜視図である。
【図９】図１の展示用具を用いて組み立てた２段重ね型の展示台を示す斜視図である。
【図１０】（ａ）〜（ｄ）図９の２段重ね型の展示台を組み立てる工程を示す斜視図である。
【図１１】６つの展示用具の組み付けた展示台を示す斜視図である。
【図１２】６つの展示用具の組み付けた別の展示台を示す斜視図である。
【図１３】２つの展示用具の組み付けた展示台の背面にホードを組み付けた状態を示す正面図である。
【図１４】別の係止部を用いる展示台を示す正面図である。
【発明を実施するための形態】
【００１６】
以下、本発明を図面に示す実施形態に基づいて説明する。
【００１７】
図１は、本実施形態に係る展示用具１を示す。本実施形態に係る展示用具１は、例えば、板紙を組み立てることによって構成されている。
【００１８】
図２は、展示用具１の展開図を示す。展示用具１を構成する板紙は、３つの壁面１１，１２，１３と、３つの壁面１１，１２，１３の一端部１１ｄ，１２ａ，１３ｂ側からそれぞれ突出する３つの舌片１４，１５，１６とが形成されている。
【００１９】
３つの壁面１１，１２，１３は、それぞれ折り線１１ａ，１１ｂを介して折り曲げられるようになっている。なお、壁面１３には折り線１３ａを介して糊付け片１７が形成されている。
【００２０】
壁面１１には、折り線１１ａ，１１ｂを折返しとする略Ｌ字型の鈎型の係止片１８，１９がそれぞれ切り込みを入れて形成されている。鈎型の係止片１８，１９は、展示用具１を連接する際の係止部２，３を形成する。
【００２１】
そのため、鈎型の係止片１８の鈎部１８ａが下向きの開口を設けることによって形成されている。また、鈎型の係止片１９の鈎部１９ａが上向きの開口を設けることによって形成されている。
【００２２】
また、鈎型の係止片１８の鈎部１８ａの底部と、鈎型の係止片１９の鈎部１９ａの底部とが同じ位置に形成されるように、鈎型の係止片１８が鈎型の係止片１９に対して壁面１１の他端部１１ｃ側に変位して形成されている。
【００２３】
また、３つの舌片１４，１５，１６は、展示用具１の底板４を形成するために、定法に従って、係止片１５ａ，１６ａに両者を組み付けるための舌片１５，１６が形成されている。
【００２４】
次に、展示用具１の組立について説明する。
【００２５】
先ず、このように構成された板紙は、図３、図４に示すように、各折り線１１ａ，１１ｂ，１３ａを介して３つの壁面１１，１２，１３及び糊付け片１７を起こし、糊付け片１７を壁面１２の裏側に糊付けして略正三角柱状の筒体を形成する。
【００２６】
次に、図４、図５に示すように、折り線１２ａ，１１ｄ，１３ｂを介して３つの舌片１４，１５，１６を筒体の内側に起こし、舌片１５，１６にそれぞれ形成した係止片１５ａ，１６ａ同士を係合して底板４を形成することによって展示用具１を構成することができる。
【００２７】
次に、この展示用具１を２つ用意し、１組の展示台３０を形成する場合について説明する。
【００２８】
先ず、図６（ａ）（ｂ）に示すように、２つの展示用具１を同じ向きにし、一方の展示用具１の鉤型の係止片１８を他方の展示用具１の鉤型の係止片１９に差し込むようにして両者を係止する。
【００２９】
次に、図７（ａ）（ｂ）に示すように、２つの展示用具１は横並びに組み付けられた形で起立することによって１組の展示台３０を形成することができる。
【００３０】
この１組の展示台３０は、両方の展示用具１の上面には、略正三角形状の２つの開口部５が形成されることとなる。
【００３１】
この略正三角形状の２つの開口部５を利用して、例えば、各種の商品を差し入れて商品の展示に利用できる。
【００３２】
また、３つの壁面１１，１２，１３には、展示対象に応じた施しを設けることで機能性を持った展示台として利用することが可能となる。
【００３３】
図８は、２つの展示用具１の壁面１１同士を接合して組み付けた展示台３０Ａを示す。
【００３４】
本例では、先ず、図６に示すように、両者の一方側の鈎型の係止片１８，１９を係合した後、何れかの展示用具１を係合部を回転軸として回転し、回転した展示用具１１の鈎型の係止片１８側を持ち上げるように少し変位させて鈎型の係止片１８を鈎型の係止片１９に係合させることによって組み付けられる。
【００３５】
次に、図９は、６つの展示用具１を用いて組み立てた２段重ね型の展示台４０を示す。
【００３６】
この２段重ね型の展示台４０の組立を図１０に基づいて説明する。
【００３７】
先ず、図１０（ａ）に示すように、展示用具１を４つ用意し、中央にひし形の空間４１が形成されるように、紙面において、上下にそれぞれ２つの展示用具１を配置し、それぞれの鈎型の係止片１８，１９を係合して連結する。なお、ここでは、各展示用具１の壁面１１，１２，１３の高さをＨで示す。
【００３８】
次に、図１０（ｂ）（ｃ）に示すように、ひし形の空間４１と同形状の台紙４２をひし形の空間４１内に装着する。この台紙４２は、展示用具１の壁面１１，１２，１３の高さＨよりも低い高さＨａにしてある。また、台紙４２は、底付きの容器でも底なしの筒体でも良い。
【００３９】
この台紙４２をひし形の空間４１内に装着することによって、４つの展示用具１間は強固に連結されることとなる。ひし形の空間４１には、台紙４２が装着されているため、展示用具１の高さＨから台紙４２の高さＨａを差し引いた段差だ形成されている。
【００４０】
次に、図８に示す展示台３０Ａをひし形の空間４１内に装着する。この際、ひし形の空間４１には、展示用具１の高さＨから台紙４２の高さＨａを差し引いた段差が形成されているため、展示台３０Ａはこの段差によって侵入が阻止され、下端部がひし形の空間４１内に係止された状態で装着される。
【００４１】
そのため、展示台３０Ａは、下段の４つの展示用具１によって形成される展示台上に安定的に積み重ねられる。従って、得られた展示台４０は、６つの展示用具１が強固に結合された形で容器を形成している。
【００４２】
このように、本実施形態に係る２段重ね型の展示台４０は、板紙で形成されているにも拘わらず、組み付けによる強度補強が為された構造体を構成している。
【００４３】
そのため、例えば、製作業者が店頭に搬送する際にも、型くずれを起こすことがなくなる。
【００４４】
勿論、店頭での展示においても、２段重ね型の展示台４０にそれぞれ商品を収納し、顧客によってこれらの商品の取り出しが行われても、変形したり、型くずれを起こしたり、あるいは各展示用具１毎に分解したりする虞がなくなる。
【００４５】
なお、上記実施形態では、平面的な展示台として２種類の展示台３０，３０Ａについて説明したが、本発明はこれに限らず、例えば、図１１に示すように、６つの展示用具１を蜂の巣状に組み付けた展示台３０Ｂにしたり、図１２に示すように、６つの展示用具１を衝立状に組み付けた展示台３０Ｃにするなどのように、任意に組み付けることによってそれぞれの係止部２，３を係合した組立体を構成することができる。従って、用いる展示用具１の個数や形成される展示台の形状は特に限定するものではない。
【００４６】
また、例えば、図１３に示すように、展示台３０の背面にホード３１を組み付けて、このボード３１を標示体として機能させることも可能である。
【００４７】
また、図９に示す実施形態では、２段重ね型の展示台４０について説明したが、本発明はこれに限らず、例えば、３段重ね型や４段重ね型などの展示台を構成することも可能である。
【００４８】
また、上記実施形態では、鈎型の係止片１８，１９によって係止部２，３を構成する場合について説明したが、本発明はこれに限らず、例えば、図１４に示すように、展示用具１の何れかの壁面１１，１２，１３にマジックテープ（登録商標）、マグネット又は両面テープなどで構成される係止部２ａ，３ａを形成しても良い。
【００４９】
また、上記実施形態では、展示用具１を板紙で構成した場合について説明したが、本発明はこれに限らず、例えば、プラスチック、ＰＥＴ（ポリエチレンテレフタレート）、ＯＰＰ（２軸延伸ポリプロピレンフィルム）などで構成しても良い。
【００５０】
また、上記実施形態では、展示用具１を略正三角柱形状の容器について説明したが、本発明はこれに限らず、二等辺三角柱形状にしても良い。
【００５１】
また、本発明において、展示用具１又は展示台３０，３０Ａ，３０Ｂ，３０Ｃ，４０の開口部５に入れられる商品は、例えば、鉛筆、ボールペン、マーカー、シャーペン、定規、消しゴム、ハサミなどの文房具、化粧品、雑貨、各種部品などのバラで展示できる商品であれば良く，特に限定するものではない。
【符号の説明】
【００５２】
１  展示用具
２，３  係止部
４  底板
５  開口部
１１，１２，１３  壁面
１８，１９  鈎型の係止片
１８ａ，１９ａ  鈎部
３０，３０Ａ，３０Ｂ，３０Ｃ  展示台
４０  ２段重ね型の展示台
４１  ひし形の空間
４２  台紙
【図１】
2011183109.tif 000003
【図２】
2011183109.tif 000004
【図３】
2011183109.tif 000005
【図４】
2011183109.tif 000006
【図５】
2011183109.tif 000007
【図６】
2011183109.tif 000008
【図７】
2011183109.tif 000009
【図８】
2011183109.tif 000010
【図９】
2011183109.tif 000011
【図１０】
2011183109.tif 000012
【図１１】
2011183109.tif 000013
【図１２】
2011183109.tif 000014
【図１３】
2011183109.tif 000015
【図１４】
2011183109.tif 000016